(57)【要約】【課題】遊泳する姿が魚にとって今までにない新鮮なアクションに見える金属製ルアーを提供する。【解決手段】水流の抵抗を受けるように湾曲された水流受け部１と、水流受け部１に対して垂直に起立する尾部２が一体成型された金属製のルアーで、長手方向の両端から中央へ向かい括れた形態を特徴とする。【選択図】図１
2016140356.tif 000002
【特許請求の範囲】
【請求項１】
ルアーの長手方向前部（Ａ）にスプリットリング（４ａ）を介してライン（Ｌ）を連結するための貫通孔（５ａ）と、長手方向後部（Ｂ）にスプリットリング（４ｂ）を介してフック（Ｆ）を連結するための貫通孔（５ｂ）とを備えた金属製ルアーであって、長手方向前部（Ａ）は略楕円形の板体状に形成され、水流の抵抗を受けるよう後方へ向かうに従いゆるやかにカーブをつくるように湾曲した水流受け部（１）と、長手方向後部（Ｂ）に水流受け部（１）に対して垂直に起立する略楕円形の板体状に形成された尾部（２）が一体成型されていることを特徴とする金属製ルアー。
【発明の詳細な説明】
【技術分野】
【０００１】  本発明は、ルアーフィッシングに使用する金属製ルアーに関するものである。
【背景技術】
【０００２】  従来、ルアーフィッシングに使用される疑似餌の金属製ルアーに関しては、食器スプーンのカップ形状を模して、リトリーブすることで凹部が水流の抵抗を受けることで遊動するスプーンと呼ばれる金属製のルアーが良く知られている。【０００３】  このスプーンと呼ばれる金属製ルアーは、ルアー本体とラインが結ばれる結合部を支点として、ローリングアクションと呼ばれる魚が横腹を見せ隠れさせるような左右に反転する横揺れのアクションや、ウォブリングアクションと呼ばれる魚が尾ひれを左右に揺するように振るアクションを行う。さらに、前記ローリングアクションとウォブリングアクションを複合させたウォブンロールと呼ばれるアクションがある。【０００４】  このように、スプーンやのアクションには、ローリングアクション、ウォブリングアクションの２種類が主流となり、複合型のウォブンロールを含めても、大別すると３種類しか存在していない。【０００５】  これら上記３種のアクションを変更しようと、スプーンの水流の抵抗を受ける部分の形状や角度を変えても、別のアクションを発生させることはなく、上記３種類のアクションのいずれかのアクションを強弱させるだけとなり、逆に水流の抵抗が大きくなってしまって、スプーンがバランスを崩して回転してしまうなどの不具合が発生してしまう場合もある。【０００６】  立設された板状のフィンを備えた金属製スプーン型ルアー（特許文献１）や、長手方向に対して左右対称に突出部を起立させたりした金属製スプーン型ルアー（特許文献２）など、スプーンに付属部分を新たに付加させた金属製スプーン型ルアーもあるが、これらの付属部分は、水流を整流してルアー本体の回転を抑制する目的で設置されている。
【先行技術文献】
【特許文献】
【０００７】
【特許文献１】特開２００５−２２９９４１号公報
【特許文献２】登録実用新案第３１０１８２８号公報
【発明の概要】
【発明が解決しようとする課題】
【０００８】  本発明は、遊動するアクションが、魚にとって今までにない新鮮なアクションと見える金属製ルアーを提供することにある。
【課題を解決するための手段】
【０００９】  本発明のルアーは、長手方向の前部（Ａ）に、略楕円形の板体状に形成された水流受け部（１）と、長手方向の後部（Ｂ）に、前記水流受け部（１）に対して垂直に起立する略楕円形の板体状に形成された尾部（２）から構成されていることを特徴とする。【００１０】  水流受け部（１）と尾部（２）は金属製で一体成型されていることを特徴とする。【００１１】  水流受け部（１）は、水流の抵抗を受けるように湾曲していることを特徴とする。【００１２】  略楕円形の水流受け部（１）は、中央の接合部（３）へ向かうにしたがって幅狭となっており、さらに、略楕円形の尾部（２）は、中央の接合部（３）へ向かって幅狭となっている。このことから、本発明のルアーは、長手方向の両端から中央の接合部（３）へ向かい幅狭となっていることを特徴とする。
【発明の効果】
【００１３】  本発明の金属製のルアーは、リトリーブすることで水流受け部（１）が水流の抵抗を受けることで遊動を繰り返します。この際に、水流受け部（１）に対して垂直に起立する尾部（２）も、水流受け部（１）の遊動に付随してアクションを起こします。
この水流受け部（１）と尾部（２）の２つの遊動によって、本発明のルアーの長手方向の中央付近となる接合部（３）を中心として、前後に対照的な遊動をルアー周辺にいる魚へアピールすることが可能となります。
これは、任意の位置から水流受け部（１）を平面状に見た場合、尾部（２）は棒状に見え、逆に、尾部（２）が平面状に見えた場合には、水流受け部（１）は棒状に見えることとなります。
よって、この水流受け部（１）と尾部（２）が互いに交互の遊動を繰り返すことによって、接合部（３）を中心として、前部（Ａ）と後部（Ｂ）が交互に発現を繰り返すように見えます。
この前部（Ａ）と後部（Ｂ）の交互の発現遊動は、全体としてルアーが身をくねらし、ねじる様なアクションに見えて、あたかも生物がもがくようなナチュラルな動きで魚にアピールすることが可能となります。
【図面の簡単な説明】
【００１４】
【図１】本発明の斜視図
【図２】本発明の側面図
【図３】本発明の平面図
【図４】本発明の動作図
【発明を実施するための形態】
【００１５】  以下、本発明の実施の形態を説明する。
（イ）  本形態のルアーは、ルアー進行方向の前部（Ａ）に、略楕円形の板体状に形成された水流受け部（１）と、ルアー進行方向の後部（Ｂ）に、前記水流受け部（１）に対して垂直に起立する略楕円形の板体状に形成された尾部（２）とを有する。
（ロ）  ルアー前部（Ａ）に関しては、水流の抵抗を受けるように先端から後方へ向かうに従いゆるやかにカーブをつくるように湾曲しており、左右に受けた水流を逃すことによってルアーは揺動する。
（ハ）  さらに、このルアーの前部（Ａ）は、略楕円形で、ルアー進行方向側が円孤で形成され、ルアー中央部にある接合部（３）に向うに従って幅が狭くなっている形状で、平面視するとティアドロップ形状となっている。
（ニ）  このルアーの前部（Ａ）に接合部（３）より垂直に立設して一体形成されたルアーの後部（Ｂ）は、ルアー中央部にある接合部（３）からフック（Ｆ）との接合箇所である貫通孔（５ｂ）が設けられた後方に向かい徐々に幅を広げており、この後方端部は円孤の形状で、側面視すると卵型状となっている。
本発明は以上のような構造である。
【００１６】  本発明を使用する場合は、本形態のルアーにスプリットリング（４ａ）を介して、ライン（Ｌ）を接続します。本形態のルアーをキャスティングして、ライン（Ｌ）をリールで巻き取ることによって、水流受け部（１）の上部凸部（６）に当る水流と下部凹（７）に流れる水流の早さの違いにより、図４に示すように、左右に遊動を開始します。
この揺動により、直角に位置する前部（Ａ）と後部（Ｂ）は、接合部（３）を中心として、タイミングが異なるように、交互に見え隠れするように発現を繰り返します。
これは、ルアーが前後方向軸線を中心に左右にローリングと呼ばれる揺動する時に、任意の位置から本形態のルアーを見た場合に、前部（Ａ）がハッキリと露見した場合には後部（Ｂ）が隠れ、後部（Ｂ）がハッキリと露見した場合には前部（Ａ）が隠れているように見ます。この揺動が繰り返されることによって、接合部（３）を軸として前部（Ａ）と後部（Ｂ）が順次、隠見を繰り返すように見えるようになります。
これは、接合部（３）を中心として、本形態のルアーが身をくねらし、ねじる様なアクションに見えて、あたかも生物がもがくようなナチュラルな動きで、魚にアピールすることが可能となります。
この本形態のルアーの遊動は、従来のスプーンと呼ばれる金属製ルアーの遊動と一線を画し、新鮮でより生命感溢れる動きとなっています。
【符号の説明】
【００１７】１水流受け部、２尾部、３接合部、４（ａ〜ｂ）スプリットリング
５（ａ〜ｂ）貫通孔、６凸部、７凹部、Ａ前部、Ｂ後部、Ｌライン、Ｆフック
【図１】
2016140356.tif 000003
【図２】
2016140356.tif 000004
【図３】
2016140356.tif 000005
【図４】
2016140356.tif 000006